(57)【要約】【課題】少ない空気袋で肢体に対する施療を単に横方向から挟むだけでなく上下方向からの押圧力を加えて施療すること、肢体を捻るような施療を行うこと等を実現するマッサージ機を提供する。【解決手段】身体の肢体を収容するよう相対向する側壁１１，１２，１３により形成された施療凹部１５，１６を有する足載台を備える。側壁１１，１３の施療凹部１５，１６側の側面上部に第一空気袋２１が取付けられ、側壁１２の両側面下部に第二空気袋２２が取付けられている。第一及び第二空気袋２１，２２は、各々の最大膨張部分が上下方向にずれて位置するように配置されている。施療凹部１５，１６に被施療部５０，５１を入れ、第一及び第二空気袋２１，２２を膨張させると、被施療部５０，５１には捻るような揉みマッサージが施されるとともに、被施療部５０，５１を上下方向から施療できる。【選択図】      図３
2004181034.tif 000002
【特許請求の範囲】
【請求項１】
身体の肢体を収容するよう相対向する側壁により形成された施療凹部を有する足載台と、
前記側壁の前記施療凹部側の側面に取付けられた第一空気袋及び第二空気袋と、
この第一空気袋及び第二空気袋に連通し、第一空気袋及び第二空気袋に対して給排気する給排気手段とを備え、
前記第一空気袋及び第二空気袋は、各々の最大膨張部分が上下方向にずれて位置するように配置されていることを特徴とするマッサージ機。
【請求項２】
前記側壁のうち、一方の側壁の前記施療凹部側の側面には前記第一空気袋及び第二空気袋が取付けられ、他方の側壁の前記施療凹部側の側面には下部が上部よりも柔軟である押圧体が取付けられたことを特徴とする請求項１記載のマッサージ機。
【請求項３】
前記側壁のうち、一方の側壁の前記施療凹部側の側面には前記第一空気袋及び第二空気袋が取付けられ、他方の側壁の前記施療凹部側の側面には下部が上部よりも凹んでいる押圧体が取付けられたことを特徴とする請求項１記載のマッサージ機。
【請求項４】
前記側壁のうち、一方の側壁の前記施療凹部側の側面には前記第一空気袋及び第二空気袋が取付けられ、他方の側壁の前記施療凹部側の側面には上部に突起を設けた押圧体が取付けられたことを特徴とする請求項１記載のマッサージ機。
【請求項５】
前記側壁のうち、一方の側壁の前記施療凹部側の側面には前記第一空気袋及び第二空気袋が取付けられ、他方の側壁の前記施療凹部側の側面には、上下方向に並列し、かつ下部が上部よりも柔軟な複数の突起からなる押圧体が取付けられたことを特徴とする請求項１記載のマッサージ機。
【請求項６】
前記側壁のうち、一方の側壁の前記施療凹部側の側面には前記第一空気袋が取付けられ、他方の側壁の前記施療凹部側の側面には前記第二空気袋が取付けられたことを特徴とする請求項１記載のマッサージ機。
【請求項７】
前記第一空気袋及び第二空気袋のうちの一方の空気袋の膨張度合を、他方の空気袋の膨張度合よりも大きくなるように給気することを特徴とする請求項１、請求項２、請求項３、請求項４、請求項５又は請求項６記載のマッサージ機。
【請求項８】
前記第一空気袋及び第二空気袋のうち、最大膨張部分が上方向に位置する空気袋への給気が、最大膨張部分が下方向に位置する空気袋への給気よりも先に行われることを特徴とする請求項１、請求項２、請求項３、請求項４、請求項５、請求項６又は請求項７記載のマッサージ機。
【請求項９】
身体の肢体を収容するよう相対向する側壁により形成された施療凹部を有する足載台と、
前記側壁のうち、一方の側壁の前記施療凹部側の側面に取付けられた側面用空気袋と、
前記側壁のうち、他方の側壁の前記施療凹部側の側面に取付けられた上下方向に並列する複数の突起からなる押圧体と、
前記施療凹部の底面に取付けられた底面用空気袋と、
前記側面用及び底面用空気袋に連通し、側面用及び底面用空気袋に対して給排気する給排気手段とを備え、
前記押圧体は、前記上下方向に並列する複数の突起の間隔を前記底面用空気袋によって押圧される肢体を保持し得る程度の所定の距離とすることで被施療部保持手段を兼ねたことを特徴とするマッサージ機。
【請求項１０】
身体の肢体を収容するよう相対向する側壁により形成された施療凹部を有する足載台と、
前記側壁のうち、一方の側壁の前記施療凹部側の側面に取付けられた空気袋と、
この空気袋に連通し、空気袋に対して給排気する給排気手段とを備え、
前記空気袋は、その前後方向の中央から前後方向に偏った位置に幅狭部を有することを特徴とするマッサージ機。
【発明の詳細な説明】
【０００１】
【発明の属する技術分野】
この発明は、空気袋の膨張・収縮により肢体をマッサージするマッサージ機に関する。
【０００２】
【従来の技術】
空気袋への空気の給排気によって空気袋を膨張・収縮させることにより、足載置部に載せられた下肢（ふくらはぎ、太股、足裏）を圧迫してマッサージするマッサージ機には、次のようなものがある。
▲１▼脚支持部上に脚が嵌め込まれる左右２つの溝を形成し、この溝に、空気の給排気で膨張収縮して溝に嵌め込まれた脚の左右両側を押圧するエアセルを備え、エアセルが溝の長手方向に２カ所設けられた、それぞれふくらはぎ用と足首用であるもの（例えば、特許文献１参照）。
▲２▼上面及び前後両端を開放して凹状をなした施療凹部を有する本体と、凹部の底面から立ち上がって相対向する凹部側面の少なくとも一方（実施形態では両方）に取付けられた（第１）空気袋と、凹部底面に設けられた第２空気袋とを備えたもの（例えば、特許文献２参照）。
【０００３】
【特許文献１】
特開２０００−１４００５３号公報
【０００４】
【特許文献２】
特開平８−８９５４０号公報
【０００５】
【発明が解決しようとする課題】
しかしながら、上記▲１▼のマッサージ機では、太さが違うふくらはぎと足首を、それぞれ両側から等しく押圧するために、エアセル（空気袋）を長手方向に分割して２カ所に設けているので、エアセル（空気袋）がふくらはぎ用に２つ、足首用に２つ、片足に全部で４つ必要である。空気袋の数が多いと、給排気用のチューブの配線が複雑になり、コストも高くなる。また、溝に置かれた脚を左右両側から横方向に挟むことができるだけで単調な施療感しか得られない。
【０００６】
上記▲２▼のマッサージ機では、施療凹部に置いた脚を両側から横方向に挟んだり、挟んだ後に足裏を押したりするマッサージができるだけで、脚の太さが異なる部分は等しく押圧されず、施療感も単調である。
【０００７】
この発明は、そのような問題点に着目してなされたものであって、少ない空気袋で肢体に対する施療を単に横方向から挟むだけでなく上下方向からの押圧力を加えて施療すること、肢体を捻るような施療を行うこと、肢体が逃げないようにして効果的に施療を行うこと、太さが異なる部分に対しても十分な施療を行うことができるマッサージ機を提供することを目的としている。
【０００８】
【課題を解決するための手段】
前記目的を達成するために、この発明のマッサージ機は、身体の肢体を収容するよう相対向する側壁により形成された施療凹部を有する足載台と、側壁の施療凹部側の側面に取付けられた第一空気袋及び第二空気袋と、この第一空気袋及び第二空気袋に連通し、第一空気袋及び第二空気袋に対して給排気する給排気手段とを備え、第一空気袋及び第二空気袋は、各々の最大膨張部分が上下方向にずれて位置するように配置されていることを特徴とする。
【０００９】
このマッサージ機によれば、第一空気袋及び第二空気袋の最大膨張部分が上下方向にずれて位置するので、各空気袋の最大押圧力が上下方向にずれて被施療部（肢体）に作用する。このため、二つの空気袋の最大膨張部分を上下方向の同レベルに配置する場合に比べて、被施療部に対して横方向からの押圧力だけでなく上下方向の押圧力も加わった施療を行うことができる。
【００１０】
このマッサージ機において、側壁のうち、一方の側壁の施療凹部側の側面には第一空気袋及び第二空気袋が取付けられ、他方の側壁の施療凹部側の側面には下部が上部よりも柔軟である押圧体が取付けられてもよい。この場合、空気袋の膨張により被施療部が押圧体に押付けられると、当該被施療部の下側は押圧体の柔軟な下部に当接するのに対して、被施療部の上側は押圧体の下部よりも硬い上部に当接する。従って、被施療部の押圧体に当接した側面は下側よりも上側に強い圧迫力が作用する結果、被施療部に捻るようなマッサージが施される。押圧体は、下部が上部よりも凹んでいるような構成や、上部に突起を設けた形状、更には上下方向に並列し、かつ下部が上部よりも柔軟な複数の突起から構成しても、同様の作用、効果を奏する。
【００１１】
また、このマッサージ機において、側壁のうち、一方の側壁の施療凹部側の側面には第一空気袋が取付けられ、他方の側壁の施療凹部側の側面には第二空気袋が取付けられた構成にしても構わない。例えば、第一空気袋の最大膨張部分の位置が第二空気袋の最大膨張部分の位置よりも高いとすると、被施療部の一方の側面の上側が第一空気袋の最大膨張部分に当接するのに対して、被施療部の他方の側面の下側が第二空気袋の最大膨張部分に当接する。従って、被施療部に捻るようなマッサージが施される。
【００１２】
更に、このマッサージ機において、第一空気袋及び第二空気袋のうちの一方の空気袋の膨張度合を、他方の空気袋の膨張度合よりも大きくなるように給気するようにしてもよい。これにより、被施療部の側面のうち上側もしくは下側のいずれか一方が他方よりも強い押圧力を受けることになる。従って、被施療部に捻るようなマッサージが施される。
【００１３】
一方、このマッサージ機において、第一空気袋及び第二空気袋のうち、最大膨張部分が上方向に位置する空気袋への給気が、最大膨張部分が下方向に位置する空気袋への給気よりも先に行われるようにしてもよい。この場合、被施療部の上側に対して先に押圧力が作用するため、被施療部を施療凹部に押し込むような作用が生じる。従って、前述の作用、効果に加えて被施療部を施療凹部に確実に保持してマッサージを施すことができる。
【００１４】
なお、被施療部を施療凹部に確実に保持するためには、マッサージ機の構成は、身体の肢体を収容するよう相対向する側壁により形成された施療凹部を有する足載台と、側壁のうち、一方の側壁の施療凹部側の側面に取付けられた側面用空気袋と、側壁のうち、他方の側壁の施療凹部側の側面に取付けられた上下方向に並列する複数の突起からなる押圧体と、施療凹部の底面に取付けられた底面用空気袋と、側面用及び底面用空気袋に連通し、側面用及び底面用空気袋に対して給排気する給排気手段とを備え、押圧体は、上下方向に並列する複数の突起の間隔を底面用空気袋によって押圧される肢体を保持し得る程度の所定の距離とすることで被施療部保持手段を兼ねたものとすればよい。
【００１５】
これにより、上下方向の寸法が大きな被施療部（例えばふくらはぎ）の側面を施療する際は、押圧体を構成する上下方向に並列する複数の突起全体が被施療部の側面に当接するので、文字通り押圧体として作用するのに加えて、上下方向の寸法が小さな被施療部（例えば足）の裏側を施療する際には、複数の突起の間に被施療部を保持し、押圧体は被施療部保持手段として作用する。従って、底面用空気袋の膨張により被施療部に施療凹部から押し出そうとする方向の押圧力が作用しても、被施療部を施療凹部に確実に保持した状態でマッサージすることができる。
【００１６】
他方、このマッサージ機は、身体の肢体を収容するよう相対向する側壁により形成された施療凹部を有する足載台と、側壁のうち、一方の側壁の施療凹部側の側面に取付けられた空気袋と、この空気袋に連通し、空気袋に対して給排気する給排気手段とを備え、空気袋は、その前後方向の中央から前後方向に偏った位置に幅狭部を有することを特徴とする。
【００１７】
このマッサージ機では、空気袋を膨張させると、幅狭部を挟んだ前部と後部で空気容量が大小になり、膨張度合が異なる。従って、例えばふくらはぎをマッサージする場合、幅狭部を胴体側に位置させることで、膨張時の空気袋がふくらはぎから足首にかけての輪郭に対応することになる。つまり、ふくらはぎから足首にかけての輪郭は概して先細りになっているので、胴体側の膨張を小さくし、足首側の膨張を大きくすることで、ふくらはぎ全体を均等に圧迫することができる。
【００１８】
なお、本発明のマッサージ機は肢体（下肢又は上肢）を施療できるが、具体的に下肢の場合は、ふくらはぎ、足裏、太股であり、上肢の場合は、上腕、前腕である。このうち、特にふくらはぎと足裏が好適である。
【００１９】
【発明の実施の形態】
以下、実施の形態により、この発明を更に詳細に説明する。
【００２０】
その一実施形態に係るマッサージ機の布製のカバーを取り外した状態の外観斜視図を図１に示す。このマッサージ機は、給排気手段を構成するエアポンプ及びエア流路用のチューブの他、回路基板等を収容した駆動部１と、この駆動部１の両端にそれぞれ立設された略三角形状の一対の支持部２と、両支持部２に段階的に回転可能に支持された足載台３とを備える。駆動部１は電源スイッチ１ａを有する。
【００２１】
足載台３は、支持部２により所定の角度範囲（例えば約２６０度）にわたって段階的に固定状態でロックされるようになっている。このロックは、支持部２に設けられたレバー５の下側を外方に引っ張ることで解除され、足載台３は、解除状態で回転可能になり、予め設定された幾つかの回転位置で固定される。
【００２２】
この足載台３は、身体の下肢又は上肢を収容するよう相対向する３つの側壁１１，１２，１３により形成された一対の施療凹部１５，１６を有する。図１には特に示されておらず詳細は後述するが、側壁１１，１２，１３の施療凹部１５，１６側の側面には、第一空気袋及び第二空気袋が各種パターンで取付けられている。この第一空気袋及び第二空気袋には、駆動部１に内蔵されたエアポンプがチューブを介して接続されている。チューブは、駆動部１のエアポンプから支持部２、足載台３を通って各空気袋に接続されている。
【００２３】
側壁１１，１２，１３の側面に対する第一空気袋及び第二空気袋の取付位置は、例えば図２に示すとおりである。第一空気袋及び第二空気袋を２つの側壁に分けて取付ける場合、第一空気袋２１は側壁１１（又は１２，１３）の側面上部に取付けられ〔図２の（ａ）〕、第二空気袋２２は側壁１１（又は１２，１３）の側面下部に取付けられる〔図２の（ｂ）〕。また、第一空気袋及び第二空気袋を１つの側壁に取付ける場合、第一空気袋２１は側壁１１（又は１２，１３）の側面上部に、第二空気袋２２は側壁１１（又は１２，１３）の側面下部に部分的に重なるように取付けられる〔図２の（ｃ）〕。
【００２４】
第一空気袋２１と第二空気袋２２を２つの側壁に分けて取付ける場合、及び第一空気袋２１と第二空気袋２２を１つの側壁に取付ける場合のいずれでも、第一空気袋２１の最大膨張部分（図２の上下方向のほぼ中央部分）は、同じく第二空気袋２２の最大膨張部分（図２の上下方向のほぼ中央部分）よりも上方向に位置し、両空気袋２１，２２の最大膨張部分は上下方向にずれている。
【００２５】
次に、そのような第一空気袋２１及び第二空気袋２２の各種取付パターン等について、図３〜図１１の模式図を参照して説明する。
【００２６】
図３の取付パターンは、その（ａ）から明らかなように、施療凹部１５を形成する側壁１１の側面上部に第一空気袋２１を、側壁１２の側面下部に第二空気袋２２を取付け、施療凹部１６に対しても、側壁１３，１２の対称位置にそれぞれ第一空気袋２１と第二空気袋２２を取付けた形態である。
【００２７】
この施療凹部１５，１６に被施療部５０，５１（前例の下肢又は上肢）を収容し、駆動部１の電源スイッチ１ａをＯＮにすると、エアポンプが作動し、第一空気袋２１と第二空気袋２２は給気により膨張する〔図３の（ｂ）〕。この場合、被施療部５０，５１は、それぞれ第一空気袋２１と第二空気袋２２から圧迫されるが、両空気袋２１，２２の最大膨張部分が上下方向にずれているので、被施療部５０，５１には捻るような揉みマッサージが施される。この捻りマッサージは、空気袋２１，２２を上下方向の同レベル位置に配置した場合に比べて、捻りが加わる分だけマッサージ効果が大きい。しかも、被施療部５０，５１を上下方向からマッサージすることができる上に、各被施療部５０，５１に対して、それぞれ２つの空気袋２１，２２だけでも十分な施療を行うことができる。
【００２８】
図４の取付パターンは、図３とは反対に、施療凹部１５を形成する側壁１１の側面下部に第二空気袋２２を、側壁１２の側面上部に第一空気袋２１を取付けた形態（施療凹部１６側も対称）である。この取付パターンでも、図３と同様の作用効果が得られる。
【００２９】
図５の（ａ）の取付パターンは、施療凹部１５を形成する側壁１１の側面上部に第一空気袋２１を、同側壁１１の側面下部に第二空気袋２２を上下方向に位置をずらして取付け、施療凹部１６に対しては、側壁１３の対称位置に第一空気袋２１と第二空気袋２２を取付けた形態である。図５の（ｂ）の取付パターンは、反対に側壁１２の両側面に第一空気袋２１と第二空気袋２２を上下方向に位置をずらして取付けた形態である。
【００３０】
図５の（ａ），（ｂ）の取付パターンでは、被施療部が空気袋２１，２２とは反対側の側壁〔図５の（ａ）では側壁１２、図５の（ｂ）では側壁１１，１３〕に向かって圧迫される。この場合、例えば第一空気袋２１よりも第二空気袋２２の膨張度合を大きくすれば、被施療部に捻りのマッサージを施すことができる。
【００３１】
図６の（ａ），（ｂ）の取付パターンは、図５の（ａ），（ｂ）の取付パターンにおいて、更にもう１つの空気袋２３を追加した形態である。すなわち、図６の（ａ）では、側壁１２の両側面に空気袋２３を取付け、図６の（ｂ）では、側壁１１，１３の側面に空気袋２３を取付けてある。図６では、空気袋２３は、その最大膨張部分が第一空気袋２１と第二空気袋２２との重合部分にほぼ対面するように配置されているが、取付位置はこれよりも上側又は下側でもよい。この場合、被施療部に捻りのマッサージを与えることができるだけでなく、より多様なマッサージを施すことができる。
【００３２】
図７の取付パターンは、各側壁１１，１２，１３の側面にそれぞれ第一空気袋２１と第二空気袋２２を取付けた形態である。この例では、施療凹部１５，１６にそれぞれ入れた被施療部に対して、両側の第一空気袋２１と第二空気袋２２を同じように膨張・収縮させれば、被施療部を両側から同じように圧迫することができる。
【００３３】
一方、例えば施療凹部１５において、側壁１１の第一空気袋２１と側壁１２の第二空気袋２２の膨張度合を、側壁１１の第二空気袋２２と側壁１２の第一空気袋２１の膨張度合よりも大きくすれば、被施療部に捻りのマッサージを施すことができる。勿論、施療凹部１６も同様であり、また側壁１１の第二空気袋２２と側壁１２の第一空気袋２１の膨張度合の方を大きくしても同じである。
【００３４】
図８の（ａ）の取付パターンは、押圧体３０を用いる形態であり、図５の（ａ）の取付パターンにおいて、側壁１２の両側面に押圧体３０を側壁１２の前後方向に沿って取付けたものである。押圧体３０は、その上部が硬質部分３１で、その他の部分（主に下部）が軟質部分３２になっている。押圧体３０は、例えば硬質部分３１と軟質部分３２とで硬度が異なるゴムで形成されている。
【００３５】
この取付パターンによれば、図８の（ｂ）に示すように、第一及び第二空気袋２１，２２を膨張させると、被施療部５０，５１は押圧体３０に圧接される。ここに、押圧体３０の上部が硬質部分３１で、下部が軟質部分３２であるので、硬質部分３１は余り凹まずに逆に被施療部５０，５１を強く押し返し、軟質部分３２は被施療部５０，５１を受容するように大きく凹む。このため、被施療部５０，５１の上側に比べて下側が側壁１２側にずれるように圧迫されるので、被施療部５０，５１に捻るマッサージが付与される。
【００３６】
押圧体３０のその他の形態としては、図９に示すようなものがある。但し、図９には施療凹部１５側のみ示してあるが、施療凹部１６側も同様である。図９の（ａ）では、押圧体３０の下部３４が上部３３よりも凹んだもの、図９の（ｂ）では、押圧体３０の上部に下部３６よりも突出する突起３５を設けたものである。また、図９の（ｃ）では、押圧体３０は上下方向に並列する３筋の突起３７ａ，３７ｂ，３７ｃからなる。このうち、上側の突起３７ａを他の突起３７ｂ，３７ｃよりも硬いものとする。なお、突起の数は、その大きさ等に応じて適宜増減すればよい。
【００３７】
図９の（ａ），（ｂ），（ｃ）の例では、いずれも図８の（ａ）の場合と同様に、被施療部の上側よりも下側が両空気袋２１，２２による圧迫に対する逃げ余地が大きいので、同様の作用効果が得られる。
【００３８】
図９の（ｃ）及びそれに示す別例の使用状態を示す図１０においては、更に施療凹部１５の底面に底面用空気袋２４を取付けている。また、３筋の突起のうち、中段の突起３７ｂと下段の突起３７ｃとの間隔は、上下方向の寸法が小さな被施療部（例えば足）５２が保持し得る程度の距離としている。被施療部５２の裏面を施療する際には、突起３７ｂと３７ｃとの間に被施療部５２を保持することができ、押圧体３０は被施療部保持手段として作用する。底面用空気袋２４の膨張により被施療部５２に施療凹部１５から押し出そうとする方向の押圧力が作用しても、被施療部５２を施療凹部１５に確実に保持した状態でマッサージすることができる。
【００３９】
第一空気袋２１と第二空気袋２２は同時に膨張・収縮させてもよいが、第一空気袋２１への給気を第二空気袋２２への給気よりも早くしてもよい。この場合の例を図１１に示す。図１１の（ａ）は、図８の（ａ）の取付パターンにおいて、第一空気袋２１の膨張を第二空気袋２２の膨張よりも早くした場合である。第一空気袋２１が先に膨張すると、被施療部５０，５１の上側が膨張した空気袋２１と押圧体３０の硬質部分３１とにより挟持される。この結果、最初に被施療部５０，５１を施療凹部１５，１６に押し込むような格好になるので、被施療部５０，５１を施療凹部１５，１６に確実に位置決めすることができる。
【００４０】
図１１の（ｂ）は、図３の（ａ）の取付パターンに適用した場合で、この場合も同様に、第一空気袋２１を第二空気袋２２よりも先に膨張させることで、被施療部５０，５１が施療凹部１５，１６から逃げないようにすることができる。
【００４１】
上記実施形態では、いずれも１つの施療凹部に対して第一及び第二空気袋２１，２２の２つの平面視四角形の空気袋を配置し、第一空気袋２１の最大膨張部分が第二空気袋２２の最大膨張部分よりも上方向に位置する例であるが、図１２の（ａ）に示すような空気袋４０を取付けてもよい。
【００４２】
図１２の（ａ）では、側壁１１（又は１２，１３）に１つの空気袋４０のみが取付けられている。この空気袋４０は、その前後方向の中心線Ｐから長さａだけ前方向に偏った位置に幅ｄを持つ幅狭部４３を有するものである。ここでは、空気袋４０に切欠き４４が設けられることで、幅狭部４３が形成されている。この空気袋４０は、実質的に小容量部分４１と大容量部分４２が幅狭部４３により連通された様態である。
【００４３】
この場合、図１２の（ｂ）のように施療凹部１５に対して側壁１１，１２の側面に空気袋４０を取付けると、空気袋４０の膨張時には、空気袋４０の小容量部分４１と大容量部分４２の最大膨張部分を一点鎖線で結ぶと、一点鎖線は先細り状になる。従って、例えばふくらはぎをマッサージする場合、幅狭部４３を胴体側に位置させることで、膨張時の空気袋４０がふくらはぎから足首にかけての輪郭に対応することになる。これにより、ふくらはぎ全体を均等に圧迫することができる。勿論、太股でも同様に均等に圧迫できる。
【００４４】
また、図面には特に示していないが、側壁１１又は側壁１２のどちらか一方のみに空気袋４０を取付けてもよい。この場合は、空気袋４０に対面する被施療部側が均等に圧迫される。しかも、１つの空気袋４０だけでも十分なマッサージを行える。
【００４５】
【発明の効果】
以上説明したように、本発明によれば、第一空気袋及び第二空気袋の最大膨張部分が上下方向にずれて位置するので、被施療部に横方向から挟むだけでなく上下方向の押圧力も加わったマッサージを施すことができるとともに、被施療部に対して捻るようなマッサージを施すことができる。
【００４６】
また、本発明によれば、上方向にずらした空気袋を先に給気したり、保持手段を兼ねた押圧体を設けたので、被施療部を施療凹部に確実に保持した状態でマッサージすることができる。
【００４７】
更に、本発明によれば、特に下肢をマッサージする場合、幅狭部を胴体側に位置させることで、膨張時の空気袋が下肢（太股、又はふくらはぎから足首）の輪郭に対応することになる結果、下肢の被施療部を均等に圧迫することができる。特に、施療凹部を形成する一方の側壁のみに空気袋を取付けることで、１つの空気袋だけでも被施療部を均等に圧迫できる。
【図面の簡単な説明】
【図１】一実施形態に係るマッサージ機（カバーを外した状態）の外観斜視図である。
【図２】同マッサージ機における施療凹部を形成する側壁に対する第一空気袋の取付位置を示す概略正面図（ａ）、第二空気袋の取付位置を示す概略正面図（ｂ）、及び第一空気袋と第二空気袋を重ねて取付けるときの位置を示す概略正面図（ｃ）である。
【図３】同マッサージ機における第一空気袋と第二空気袋の取付パターンの一例（１つの側壁に分けて設ける場合）を示す概略断面図（ａ）、及び第一空気袋と第二空気袋による被施療部のマッサージの様子を示す概略断面図（ｂ）である。
【図４】同マッサージ機における第一空気袋と第二空気袋の取付パターンの別例（１つの側壁に分けて設ける場合）を示す概略断面図である。
【図５】同マッサージ機における第一空気袋と第二空気袋の取付パターンの更に別例（１つの側壁に設ける場合）を示す概略断面図（ａ）、及び更に別例（１つの側壁に設ける場合）を示す概略断面図（ｂ）である。
【図６】同マッサージ機における第一空気袋と第二空気袋の取付パターンの更に別例（３つの空気袋を用いる場合）を示す概略断面図（ａ）、及び更に別例（３つの空気袋を用いる場合）を示す概略断面図（ｂ）である。
【図７】同マッサージ機における第一空気袋と第二空気袋の取付パターンの更に別例（４つの空気袋を用いる場合）を示す概略断面図である。
【図８】同マッサージ機における第一空気袋と第二空気袋の取付パターンの更に別例（２つの空気袋と押圧体を用いる場合）を示す概略断面図（ａ）、及び第一空気袋と第二空気袋と押圧体による被施療部のマッサージの様子を示す概略断面図（ｂ）である。
【図９】同マッサージ機における第一空気袋と第二空気袋の取付パターンの更に別例（２つの空気袋と押圧体を用いる場合）で、その押圧体の一例を示す部分概略断面図（ａ）、別例を示す部分概略断面図（ｂ）、及び更に別例を示す部分概略断面図（ｃ）である。
【図１０】図９の（ｃ）で示した別例の使用状態を示す部分概略断面図である。
【図１１】図８の（ａ）に示す取付パターンでの第一空気袋と第二空気袋と押圧体による被施療部のマッサージの様子（第一空気袋を先に膨張させた場合）を示す概略断面図（ａ）、及び図３の（ａ）に示す取付パターンでの第一空気袋と第二空気袋による被施療部のマッサージの様子（第一空気袋を先に膨張させた場合）を示す概略断面図（ｂ）である。
【図１２】同マッサージ機における別形態の空気袋を示す概略正面図（ａ）、及びその空気袋を膨張させた時の様子を示す概略平面図（ｂ）である。
【符号の説明】
１                  駆動部
２                  支持部
３                  足載台
１１，１２，１３    側壁
１５，１６          施療凹部
２１                第一空気袋
２２                第二空気袋
２３，２４，４０    空気袋
３０                押圧体
４１                小容量部分
４２                大容量部分
４３                幅狭部
５０，５１，５２    被施療部（下肢又は上肢）
【図１】
2004181034.tif 000003
【図２】
2004181034.tif 000004
【図３】
2004181034.tif 000005
【図４】
2004181034.tif 000006
【図５】
2004181034.tif 000007
【図６】
2004181034.tif 000008
【図７】
2004181034.tif 000009
【図８】
2004181034.tif 000010
【図９】
2004181034.tif 000011
【図１０】
2004181034.tif 000012
【図１１】
2004181034.tif 000013
【図１２】
2004181034.tif 000014